(57)【要約】【課題】開閉体により電気部品全体を十分な押圧力でより均一に押圧できる電気部品用ソケットを提供する。【解決手段】コンタクトピンを有するソケット本体１１と、ソケット本体１１に上下動可能に設けられて上向きに付勢された操作部材１２と、ソケット本体１１に開閉可能に設けられ、閉じることでソケット本体１１上に配置されたＩＣパッケージを押圧してコンタクトピンに圧接させる開閉体１４と、ソケット本体１１及び操作部材１２に基端部１５ａが連結し操作部材１２が上昇することで開閉体１４を閉じるように開閉体１４に連結した開閉リンク機構１５と、開閉体１４が閉じるときに開閉リンク機構１５の先端部１５ｂを押下げる押下機構１６と、を備えている。【選択図】図１
2020174016.tif 000002
【特許請求の範囲】
【請求項１】
コンタクトピンを有するソケット本体と、
前記ソケット本体に上下動可能に設けられて上向きに付勢された操作部材と、
前記ソケット本体に開閉可能に設けられ、閉じることで前記ソケット本体上に配置された電気部品を押圧して前記コンタクトピンに圧接させる開閉体と、
前記ソケット本体及び前記操作部材に基端部が連結し、前記操作部材が上昇することで前記開閉体を閉じるように前記開閉体に連結した開閉リンク機構と、
前記開閉体が閉じるときに前記開閉リンク機構の先端部を押下げる押下機構と、
を備えていることを特徴とする電気部品用ソケット。
【請求項２】
前記押下機構は、前記開閉体が開くときに前記開閉リンク機構を開放し、前記開閉体が閉じるときに前記開閉リンク機構の前記先端部を係止して押し下げる押下部材を有していることを特徴とする請求項１に記載の電気部品用ソケット。
【請求項３】
前記押下機構は、前記ソケット本体に揺動可能に支持され、基端部で前記操作部材に連結されるとともに先端部で前記押下部材に係止された揺動レバーを有し、前記操作部材が上昇することで前記揺動レバーの前記先端部が前記押下部材を押下げるように構成されていることを特徴とする請求項２に記載の電気部品用ソケット。
【発明の詳細な説明】
【技術分野】
【０００１】
この発明は、半導体装置（以下「ＩＣパッケージ」という）等の電気部品と電気的に接続される電気部品用ソケットに関するものである。
【背景技術】
【０００２】
従来、電気部品用ソケットとして、コンタクトピンが配置されたＩＣソケット等が知られている。ＩＣソケットは、配線基板上に配置されて検査対象であるＩＣパッケージを収容し、ＩＣパッケージの端子と配線基板の電極とをコンタクトピンを介して電気的に接続して、導通試験等の試験を行うように構成されている。
【０００３】
このようなＩＣソケットとして、ソケット本体の上方が開放され、上方からＩＣパッケージを出し入れする所謂オープントップタイプのものが知られている。このタイプのＩＣソケットでは、ソケット本体上に配置されるＩＣパッケージを、コンタクトピンの弾性力に抗して押圧し、ＩＣパッケージの端子とコンタクトピンとを弾性的に接触させている。
【０００４】
このようなＩＣソケットでは、ソケット本体上に配置されたＩＣパッケージを押圧するための開閉体がソケット本体に開閉可能に設けられており、ソケット本体に装着された操作部材を上下動させることで、リンク機構を介して開閉体を回動させてＩＣパッケージを押圧するように構成されている。
【０００５】
例えば、下記特許文献１ではラッチ及びレバーによりリンク機構が構成されており、操作部材であるカバーが上昇すると、ラッチ及びレバーが回動してラッチプレートを下降させ、ＩＣパッケージを押圧している。
【先行技術文献】
【特許文献】
【０００６】
【特許文献１】特開２０１５−５０１９０号公報
【発明の概要】
【発明が解決しようとする課題】
【０００７】
しかしながら従来の電気部品用ソケットでは、リンク機構の両端側の基端部がソケット本体と操作部材とに連結されていて、両基端部よりも側方位置で開閉体を押圧するように配設されている。そのためＩＣパッケージを多数のコンタクトピンに圧接させるなど開閉体に大きな反力が作用する場合には、リンク機構の先端部側に撓みや変位が生じてリンク機構の動作が不完全になり易かった。
【０００８】
その結果、開閉体に大きな反力が作用する場合には、電気部品を押圧する押圧力が偏ったり不足したりして十分な押圧力で均一に押圧することができなかった。
【０００９】
そこで本発明では、開閉体により電気部品全体を十分な押圧力でより均一に押圧できる電気部品用ソケットを提供することを課題とする。
【課題を解決するための手段】
【００１０】
上記課題を解決する本発明の電気部品用ソケットは、コンタクトピンを有するソケット本体と、前記ソケット本体に上下動可能に設けられて上向きに付勢された操作部材と、前記ソケット本体に開閉可能に設けられ、閉じることで前記ソケット本体上に配置された電気部品を押圧して前記コンタクトピンに圧接させる開閉体と、前記ソケット本体及び前記操作部材に基端部が連結し、前記操作部材が上昇することで前記開閉体を閉じるように前記開閉体に連結した開閉リンク機構と、前記開閉体が閉じるときに前記開閉リンク機構の先端部を押下げる押下機構と、を備えていることを特徴としている。
【００１１】
本発明の電気部品用ソケットの前記押下機構は、前記開閉体が開くときに前記開閉リンク機構を開放し、前記開閉体が閉じるときに前記開閉リンク機構の前記先端部を係止して押し下げる押下部材を有していていもよい。
【００１２】
本発明の電気部品用ソケットの前記押下機構は、前記押下機構が前記ソケット本体に揺動可能に支持され、基端部で前記操作部材に連結されるとともに先端部で前記押下部材に係止された揺動レバーを有し、前記操作部材が上昇することで前記揺動レバーの前記先端部が前記押下部材を押下げるように構成されていてもよい。
【発明の効果】
【００１３】
本発明の電気部品用ソケットによれば、上向きに付勢された操作部材とソケット本体とに基端部が連結された開閉リンク機構に、操作部材が上昇することで閉じるように開閉体が連結されていて、開閉体が閉じるときに押下機構により開閉リンク機構の先端部を押下げるように構成されている。
【００１４】
そのため開閉体を閉じるときに、開閉リンク機構の基端部及び先端部が支持された状態で動作させることができ、基端部よりも側方位置で開閉体を押圧することで大きな反力が作用しても、開閉リンク機構の先端側に撓みや変位が生じることを防止できる。
【００１５】
その結果、開閉リンク機構により開閉体の所定動作を確実に実現することができ、開閉体により電気部品全体を十分な押圧力でより均一に押圧できる電気部品用ソケットを提供することができる。
【００１６】
本発明の電気部品用ソケットによれば、例えば、開閉体が開くときに開閉リンク機構を開放し、開閉体が閉じるときに開閉リンク機構の先端部を係止して押し下げる押下部材を有していれば、開閉体からの大きな反力が開閉リンク機構に作用する範囲にのみ押下部材を動作可能に配置することができ、開閉リンク機構の動作範囲に比べて押下機構の動作範囲を小さくして構造を簡素化することができる。
【００１７】
本発明の電気部品用ソケットによれば、例えば、ソケット本体に揺動可能に支持されて基端部で操作部材に連結されるとともに先端部で押下部材に係止された揺動レバーを有し、操作部材が上昇することで揺動レバーの先端部が押下部材を押下げるように構成されていれば、操作部材が上昇するときに確実に押下部材を押下げることができ、確実な動作を簡素な構造で実現することができる。
【図面の簡単な説明】
【００１８】
【図１】本発明の実施形態に係るＩＣソケットの斜視図であり、開閉体が閉じた状態を操作部材の正面側を切除して示している。
【図２】本発明の実施形態に係るＩＣソケットの側面図であり、開閉体が閉じた状態を示している。
【図３】本発明の実施形態に係るＩＣソケットにおける開閉体が閉じた状態を示す部分拡大平面図である。
【図４】本発明の実施形態に係るＩＣソケットの斜視図であり、開閉体を開いた状態を示している。
【図５】本発明の実施形態に係るＩＣソケットの側面図であり、開閉体を開いた状態を示している。
【図６】本発明の実施形態に係るＩＣソケットの開閉リンク機構の動作を説明する図であり、（ａ）は開閉体を閉じた状態が示される部分斜視図、（ｂ）は開閉体を閉じた状態が揺動レバーを除いて示される部分斜視図、（ｃ）は開閉体を閉じる途中の状態が示される部分斜視図、（ｄ）は開閉体を閉じる途中の状態が揺動レバーを除いて示される部分斜視図である。
【図７】本発明の実施形態に係るＩＣソケットの開閉リンク機構の動作を説明する模式図であり、（ａ）は開閉体を閉じた状態を示す図、（ｂ）は開閉体を閉じる途中の状態を示す図である。
【図８】（ａ）は本発明の実施形態に係るＩＣソケットの押下機構を示す分解斜視図であり、（ｂ）は組立てた状態の押下機構を示す斜視図である。
【図９】本発明の実施形態に係るＩＣソケットの開閉リンク機構及び押下機構を組み合わせた動作を説明する図であり、（ａ）は開閉体を閉じた状態が示される部分斜視図、（ｂ）は開閉体を閉じた状態が押下部材を透過して示される部分斜視図、（ｃ）は開閉体を閉じる途中の状態が示される部分斜視図、（ｄ）は開閉体を閉じる途中の状態が押下部材を透過して示される部分斜視図である。
【図１０】本発明の実施形態に係るＩＣソケットの開閉リンク機構及び押下機構を組み合わせた動作を説明する模式図であり、（ａ）は開閉体を閉じる途中の状態を示す図、（ｂ）は開閉体を閉じた状態を示す図である。
【図１１】（ａ）〜（ｄ）は本発明の実施形態に係るＩＣソケットにおいて開閉体が全開した状態から全閉した状態までの動作を説明する側面図であり、操作部材の正面側を切除して示している。
【図１２】本発明の実施形態に係るＩＣソケットにおける別の動作を説明する側面図であり、操作部材の正面側を切除して示している。
【発明を実施するための形態】
【００１９】
以下、本発明の実施形態について図を用いて詳細に説明する。
【００２０】
この実施の形態の「電気部品用ソケット」としてのＩＣソケット１０は、配線基板上に配置されて、例えばＩＣパッケージに対するバーンイン試験等の導通試験の試験装置などに用いられるものである。
【００２１】
ＩＣソケット１０は、図１〜図５に示すように、「電気部品」としてのＩＣパッケージを配置可能なソケット本体１１と、ソケット本体１１に上下動可能に設けられた操作部材１２と、操作部材１２を上向きに付勢する付勢手段１３と、ソケット本体１１に開閉可能に設けられた開閉体１４と、ソケット本体１１と操作部材１２とに両側の基端部１５ａが連結して開閉体１４に連結した開閉リンク機構１５と、開閉リンク機構１５の先端部１５ｂを押下げる押下機構１６と、を備えている。
【００２２】
ソケット本体１１は、金属製のベース部１７と、ベース部１７の外周側に立設された複数の立上り片１８と、を有している。ソケット本体１１には、ＩＣパッケージを上面側に配置可能なコンタクトピンユニットがベース部１７に囲まれて設けられ、ＩＣパッケージの端子に対応する位置に配線基板と接続した多数のコンタクトピンが配設されているが、詳細な図示は省略されている。
【００２３】
操作部材１２は、ソケット本体１１の外周囲を囲む枠状に形成されており、複数の立上り片１８に沿って上下動可能に配設されている。
【００２４】
付勢手段１３は、図２に示すように、ソケット本体１１の側縁に沿って配置された圧縮バネ２１及びバネ保持部２２と、バネ保持部２２の両端に設けられて圧縮バネ２１により互いに離間する方向に付勢された一対の端部ブロック２３と、一端部がソケット本体１１のベース部１７に回動自在に枢支されるとともに他端部が端部ブロック２３に回動自在に枢支された第１付勢レバー２４と、一端部が操作部材１２に回動自在に枢支されるともに他端部が端部ブロック２３に回動自在に枢支された第２付勢レバー２５と、を備えている。
【００２５】
付勢手段１３では、圧縮バネ２１により両端の端部ブロック２３間が離間する方向に付勢されることで、第１付勢レバー２４の一端部と第２付勢レバー２５の一端部とが離間する方向に付勢され、これによりソケット本体１１に対して操作部材１２が上向きに付勢されている。操作部材１２が下向きに押圧されて下降すると、付勢力に抗して第１付勢レバー２４の一端部と第２付勢レバー２５の一端部との間が近接する方向に変位する。
【００２６】
開閉体１４は、平面視略コ字状の形状を有する片からなり、ベース部１７の複数の立上り片１８に回動して開閉自在に枢支されている。この実施形態では、ソケット本体１１の上面側における互いに対向する側縁側に、観音開き方向に開閉するように一対装着されている。
【００２７】
一対の開閉体１４は、閉じることでソケット本体１１上に配置された図示しないＩＣパッケージの外周部を下向きに押圧可能に形成されている。ＩＣパッケージを下向きに押圧することで、ＩＣパッケージの端子をソケット本体１１に設けられた多数の図示しないコンタクトピンと圧接する。ＩＣパッケージの多数の端子が多数のコンタクトピンの弾性力に抗して圧接するため、開閉体１４を閉じたときにはＩＣパッケージから開閉体１４に大きな反力が作用する。
【００２８】
開閉リンク機構１５は、図６（ａ）乃至（ｄ）及び図７（ａ）（ｂ）に示すように、基端部２６ａがソケット本体１１のベース部１７に枢支された第１開閉レバー２６と、基端部２７ａが操作部材１２に回動自在に枢支された第２開閉レバー２７と、を備え、第１開閉レバー２６の先端部２６ｂと第２開閉レバー２７の先端部２７ｂとが互いに相対回動自在に連結されて構成されている。
【００２９】
この開閉リンク機構１５では、第１及び第２開閉レバー２６，２７の基端部２６ａ，２７ａがソケット本体１１と操作部材１２とにそれぞれ連結されることで、関節リンク機構１５の両端の基端部１５ａが構成され、第１開閉レバー２６と第２開閉レバー２７とが連結された関節部及びその近傍により先端部１５ｂが構成されている。
【００３０】
開閉リンク機構１５の第１開閉レバー２６の長手方向中間部位には、開閉体連結部２６ｃが設けられており、第１開閉レバー２６及び開閉リンク機構１５と開閉体１４とが相対回動自在に連結されている。開閉体連結部２６ｃは、開閉体１４のソケット本体１１に対する枢支部位から離間しており、かつ開閉体１４を閉じた状態で開閉リンク機構１５の両側の基端部１５ａよりも側方の位置に設けられている。
【００３１】
そのため操作部材１２の昇降により開閉リンク機構１５の先端部１５ｂ側が基端部１５ａ側に対して回動することで開閉体１４が開閉でき、操作部材１２の昇降により各開閉体１４が開閉する。
【００３２】
この開閉リンク機構１５では、ソケット本体１１に連結された第１開閉レバー２６の基端部２６ａと、操作部材１２に連結された第２開閉レバー２７の基端部２７ａと、が何れも第１開閉レバー２６と第２開閉レバー２７との連結部位よりも低い位置に設けられるとともに、基端部２６ａよりも基端部２７ａが上方に設けられている。また基端部２７ａは第１開閉レバー２６と第２開閉レバー２７との連結部位からの距離が基端部２６ａよりも長く設けられている。
【００３３】
これにより、まず図１、図６（ａ）（ｂ）、７（ａ）のように、操作部材１２が最も上昇した状態では、開閉リンク機構１５では先端部１５ｂ及び開閉体連結部２６ｃが最も低い位置に配置され、開閉体１４がソケット本体１１に対して完全に閉じた状態で配置される。
【００３４】
図６（ｃ）（ｄ）、７（ｂ）のように、付勢手段１３の付勢力に抗して操作部材１２を下降させると、開閉リンク機構１５では先端部１５ｂ及び開閉体連結部２６ｃが上昇し、開閉体１４が開き始める。
【００３５】
そして、操作部材１２が最も下降した状態になると、図４及び図５のように、開閉リンク機構１５では、先端部１５ｂ及び開閉体連結部２６ｃが最も上昇した位置に配置され、開閉体１４がソケット本体１１に対して完全に開いた状態で配置される。
【００３６】
押下機構１６は、図１、図８（ａ）（ｂ）、図９（ａ）乃至（ｄ）、図１０（ａ）（ｂ）に示すように、開閉体１４が閉じるときに開閉リンク機構１５の先端部１５ｂを押下げるように構成されている。本実施形態の押下機構１６は、開閉体１４が開くときには開閉リンク機構１５を開放するとともに開閉体１４が閉じるときには開閉リンク機構１５の先端部１５ｂと係止する押下部材２８と、ソケット本体１１に揺動可能に支持され、基端部２９ａで操作部材１２に連結されるとともに先端部２９ｂで押下部材２８に係止された揺動レバー２９と、を有している。
【００３７】
押下部材２８は、ソケット本体１１における開閉リンク機構１５が配置された側縁に、各開閉リンク機構１５の先端部１５ｂに対応する位置にそれぞれ配置されており、ソケット本体１１の立上り片１８に上下動自在に支持されている。
【００３８】
各押下部材２８は、開閉リンク機構１５と対向する一方の側面側に、開閉リンク機構１５の第１開閉レバー２６の先端部２６ｂを係脱可能な開閉リンク係止部３１と、開閉リンク係止部３１に沿って形成され、揺動レバー２９の先端部２９ｂを常時収容する揺動レバー係止部３２と、を備え、それぞれソケット本体１１との間に介在された押上バネ３５により上方に付勢されている。
【００３９】
開閉リンク係止部３１は、回動する開閉リンク機構１５の先端部１５ｂが挿入及び離脱するための係止開口３１ａと、開閉リンク機構１５の先端部１５ｂに上方から係止するように深く設けられた係止段差３１ｂと、を有している。
【００４０】
揺動レバー係止部３２は、揺動レバー２９の先端部２９ｂが遊嵌する収容部３２ａと、揺動レバー２９の先端部２９ｂにより下方へ押下げ可能な押下段差３２ｂと、を備えている。
【００４１】
押下部材２８の他方の側面側には、押下部材２８が上下動する際に、ソケット本体１１の立上り片１８の側面に固設された案内突起３３と摺接する案内カム３４が設けられている。
【００４２】
揺動レバー２９は、開閉リンク機構１５の第１開閉レバー２６及び第２開閉レバー２７と平行に並べて配置され、長手方向の中間位置でソケット本体１１に揺動自在に支持されている。揺動レバー２９の基端部２９ａは操作部材１２に回動自在に連結されており、先端部２９ｂが押下部材２８の揺動レバー係止部３２に収容されている。
【００４３】
本実施形態の開閉リンク機構１６では、開閉体１４が開くときには、押上バネ３５に付勢された押下部材２８が開閉リンク機構１５の先端部１５ｂとともに押し上げられる。その際、開閉リンク機構１５の先端部１５ｂ及び押上バネ３５により押圧部材２８を押し上げつつ後方側、即ち開閉リンク機構１５から離間する側へ押圧することで、案内カムを案内突起３３に摺接させる。
【００４４】
これにより、例えば後述する図１１（ｄ）（ｃ）（ｂ）に示すように、押下部材２８の上部側を後方へ傾斜させて、係止開口３１ａをより後方側へ広く上向きに開口させることができる。
【００４５】
一方、開閉体１４を閉じるときには、開閉リンク機構１５の先端部１５ｂが係止開口３１ａから開閉リンク係止部３１に収容された後、揺動レバー係止部３２に収容されている揺動レバー２９の先端部２９ｂにより、押下段差３２ｂが下方へ押圧されることで、押下部材２８が押し下げられる。
【００４６】
その際、開閉リンク機構１５の先端部１５ｂにより、開閉リンク係止部３１における係止開口３１ａから係止段差３１ｂまでの間の底部等に接して押し下げつつ後方側（開閉リンク機構１５から離間する側）へ押圧することで、案内カム３４を案内突起３３に摺動させる。
【００４７】
これにより、後述する図１１（ｂ）（ｃ）（ｄ）に示すように、押下部材２８の上部側の傾斜を戻して上部側を開閉リンク機構１５側へ変位させ、開閉リンク係止部３１における係止段差３１ｂに開閉リンク機構１５の先端部１５ｂを係止させる。さらに揺動レバー２９の先端部２９ｂにより押下段差３２ｂを下方へ押圧することで、押下部材２８により開閉リンク機構１５の先端部１５ｂを押し下げることができる。
【００４８】
このような押下機構１６では、まず図１、図９（ａ）（ｂ）、図１０（ａ）のように、操作部材１２が最も上昇した状態では、開閉リンク機構１５により開閉体１４がソケット本体１１に対して完全に閉じた状態で配置されている。また押下機構１６では、押下部材２８の開閉リンク係止部３１における係止段差３１ｂに開閉リンク機構１５の先端部１５ｂが係止された状態で、揺動レバー２９の先端部２９ｂが揺動レバー係止部３２の押下段差３２ｂを押下げた状態となっている。この状態では押下部材２８及び押下部材２８に係止された開閉リンク機構１５の先端部１５ｂが最も押下げられている。
【００４９】
図９（ｃ）（ｄ）、図１０（ｂ）のように、付勢手段１３の付勢力に抗して操作部材１２を下降させると、開閉リンク機構１５により開閉体１４が開き始め、押下機構１６では、揺動レバー係止部３２の押下段差３２ｂを押下げている揺動レバー２９の先端部２９ｂが上昇するとともに、開閉リンク機構１５の先端部１５ｂが押下部材２８の係止段差３１ｂに係止された状態で上昇する。これにより押下部材２８が案内カム３４を案内突起３３に摺動させつつ上昇する。
【００５０】
押下部材２８が上昇すると、開閉リンク機構１５の先端部１５ｂが押下部材２８の係止段差３１ｂから離脱するとともに、揺動レバー２９の先端部２９ｂが収容部３２ａ内で遊嵌された状態で配置される。
【００５１】
そして操作部材１２を最も下降させた状態では、図４のように、開閉リンク機構１５により開閉体１４がソケット本体１１に対して完全に開いた状態で配置される。また押下機構１６では、開閉リンク機構１５の先端部１５ｂが離脱するとともに揺動レバー２９の先端部２９ｂが収容部３２ａ内で遊嵌した状態で、押下部材２８が最も上昇した位置に配置され、押下部材２８の上部側が後方側へ傾斜して係止開口３１ａが上方側により大きく開口した状態でソケット本体１１に支持される。
【００５２】
次に、このような本実施形態のＩＣソケット１０にＩＣパッケージを収容する動作について図１１（ａ）〜（ｄ）を用いて説明する。
【００５３】
まず図１１（ａ）に示すように、操作部材１２を最も下降させることで、一対の開閉体１４を観音開き方向に全開する。このとき押下機構１６では、互いに背面側を対向させた押下部材２８の上部同士が互いに近接するように後方側へ傾斜させた状態で、押下部材２８がそれぞれ最も上昇した位置に配置される。
【００５４】
この状態で、ソケット本体１１における図示しないコンタクトピンユニット上にＩＣパッケージを載置した後、操作部材１２を上昇させる。すると図１１（ｂ）に示すように、開閉リンク機構１５の先端部１５ｂが押下部材２８の開閉リンク係止部３１内に係止開口３１ａから挿入されて係止段差３１ｂ内に収容される。
【００５５】
次いで、図１１（ｃ）に示すように、開閉リンク機構１５の先端部１５ｂが押下部材２８の開閉リンク係止部３１の係止段差３１ｂ付近に達するとともに、揺動レバー２９の先端部２９ｂにより揺動レバー２９の先端部２９ｂが押下部材２８の押下段差３２ｂを押下げることで押下部材２８を下方へ移動させる。
【００５６】
そして図１１（ｄ）に示すように、揺動レバー２９の先端部２９ｂにより押下部材２８を押下げることで、開閉リンク係止部３１の係止段差３１ｂに係止された開閉リンク機構１５の先端部１５ｂが押下部材２８により強く押下げられる。これによりＩＣパッケージの周縁側を開閉体１４により強く押圧して、多数のコンタクトピンの弾性力に抗してＩＣパッケージの多数の端子を各コンタクトピンと接続することができる。
【００５７】
以上のような本実施形態のＩＣソケット１０によれば、上向きに付勢された操作部材１２とソケット本体１１とに基端部１５ｂが連結された開閉リンク機構１５に、操作部材１２が上昇することで閉じるように開閉体１４が連結されていて、開閉体１４が閉じるときに押下機構２８により開閉リンク機構１５の先端部１５ｂを押下げるように構成されている。
【００５８】
そのため開閉体１４を閉じるときに、開閉リンク機構１５の両側の基端部１５ａ及び先端部１５ｂが安定して支持される。即ち、第１開閉レバー２６の基端部２６ｂはソケット本体１１に回動自在に連結されることで安定して支持され、第２開閉レバー２７の基端部２７ａは操作部材１２に回動自在に連結されることで安定して支持される。また第１開閉レバー２６と第２開閉レバー２７とが互いに相対回動自在に連結している先端部１５ａは押下機構１６に押下可能に係止されることで安定して支持される。
【００５９】
これにより開閉リンク機構１５の基端部１５ａ及び先端部１５ｂが安定して支持された状態で開閉リンク機構１５を動作させることができ、基端部１５ａよりも側方位置で開閉体１４を押圧することで大きな反力が作用しても、開閉リンク機構１５の先端部１５ｂに撓みや変位が生じることを防止できる。
【００６０】
その結果、開閉リンク機構１５により開閉体１４の所定動作を確実に実現することができ、開閉体１４によりＩＣパッケージの外周全体を十分な押圧力でより均一に押圧することが可能である。
【００６１】
また本実施形態のＩＣソケット１０によれば、開閉体１４が開くときに開閉リンク機構１５を開放し、開閉体１４が閉じるときに開閉リンク機構１５の先端部１５ｂと係止する押下部材２８を押下機構１６に有している。そのため開閉体１４からの大きな反力が開閉リンク機構１５に作用する範囲にのみ押下部材２８を動作可能に配置することができ、開閉リンク機構１５の動作範囲に比べて押下機構１６の動作範囲を小さくして構造を簡素化することができる。
【００６２】
しかも本実施形態のＩＣソケット１０では、開閉リンク機構１５により観音開き方向に開閉する一対の開閉体１４を備え、各開閉体１４の開閉リンク機構１５毎に押下機構１６が設けられていて、押下機構１６の押下部材２８が上昇したときに開閉リンク係止部３１の係止開口３１ａが上向きに傾斜することが可能である。そのため例えば図１２に示すように、操作部材１２が片当たりなどにより斜めに押圧され、一対の開閉体１４のうちの一方が閉じて、他方が開放した状態となっても、その後に傾斜した操作部材１２のより押下げられた側を上昇させた際、開閉リンク機構１５の先端部１５ｂが押下部材の外形部分に当接することなく、円滑に開閉リンク係止部３１内に挿入することができる。
【００６３】
さらに本実施形態のＩＣソケット１０によれば、押下機構１６が、ソケット本体１１に揺動可能に支持されて基端部２９ａで操作部材１２に連結されるとともに先端部２９ｂで押下部材２８に係止された揺動レバー２９を有し、操作部材１２が上昇することで揺動レバー２９の先端部２９ｂが押下部材２８を押下げるように構成されている。そのため操作部材１２を下降させたときに揺動レバー２９の先端部２９ｂを上昇させ、操作部材１２が上昇するときに揺動レバー２９の先端部２９ｂを下降することができ、操作部材１２の上昇するときに確実に押下部材２８を押下げることが可能で、確実な動作を簡素な構造で実現することができる。
【００６４】
なお上記実施形態は本発明の範囲内において適宜変更可能である。
【００６５】
例えば上記実施形態では、開閉体１４がＩＣパッケージの周囲を直接する押圧する例について説明したが、特に限定されるものではなく、例えば開閉体１４にヒートシンクや他の押圧部材等を装着し、これらを介して間接にＩＣパッケージを押圧するように構成してもよい。
【００６６】
また上記実施形態では、開閉体１４を一対設けて互いに反対方向に開閉する観音開き形式にした例について説明したが、単数又は複数の開閉体１４を一方側のみに開閉するように構成しても本発明を適用することは可能である。
【００６７】
さらに上記実施形態における開閉リンク機構１５及び押下機構１６の構造は一例であって、何ら限定されるものではなく、他の構成にすることは可能である。
【符号の説明】
【００６８】
１０  ＩＣソケット
１１  ソケット本体
１２  操作部材
１３  付勢手段
１４  開閉体
１５  開閉リンク機構
１５ａ  基端部
１５ｂ  先端部
１６  押下機構
１７  ベース部
１８  立上り片
２１  圧縮バネ
２２  バネ保持部
２３  端部ブロック
２４  第１付勢レバー
２５  第２付勢レバー
２６  第１開閉レバー
２６ａ  基端部
２６ｂ  先端部
２６ｃ  開閉体連結部
２７  第２開閉レバー
２７ａ  基端部
２７ｂ  先端部
２８  押下部材
２９  揺動レバー
２９ａ  基端部
２９ｂ  先端部
３１  開閉リンク係止部
３１ａ  係止開口
３１ｂ係止段差
３２  揺動レバー係止部
３２ａ  収容部
３２ｂ  押下段差
３３  案内突起
３４  案内カム
３５  押上バネ
【図１】
2020174016.tif 000003
【図２】
2020174016.tif 000004
【図３】
2020174016.tif 000005
【図４】
2020174016.tif 000006
【図５】
2020174016.tif 000007
【図６】
2020174016.tif 000008
【図７】
2020174016.tif 000009
【図８】
2020174016.tif 000010
【図９】
2020174016.tif 000011
【図１０】
2020174016.tif 000012
【図１１】
2020174016.tif 000013
【図１２】
2020174016.tif 000014